(57)【要約】【課題】挿入部が受けるダメージの程度又は寿命をより適切に評価できる内視鏡装置を提供する。【解決手段】挿入部２に設けた複数の光ファイバセンサ１７ａ〜１７ｄ、１７ｅ〜１７ｈ等により検出された圧力は、圧力値判定部１８によりダメージの判定を行うための閾値以上か否かの判定が行われた後、計数部２０によりその回数が計数されて記憶部１９に記憶されると共に、比較部２２により最大許容値と比較され、この最大許容値以上になった場合にはメイン制御部２１の制御下で外部表示装置４に、挿入部の継続使用の可否の診断を要請するメッセージを表示する。【選択図】図１
2007322918.tif 000002
【特許請求の範囲】
【請求項１】
照明窓及び観察窓が設けられた細長の内視鏡挿入部と、
前記内視鏡挿入部に配置され、外部からの圧力を検知する圧力検知手段と、
検知した圧力の値が所定の閾値以上かを判定する圧力値判定手段と、
前記圧力値判定手段による結果を受け、閾値以上の圧力の印加数を計数する計数手段と、
前記閾値及び前記計数手段により計数された計数値を記憶する記憶手段と、
を具備することを特徴とする内視鏡装置。
【請求項２】
さらに前記記憶手段に記憶された計数値が上記記憶手段に記憶された、内視鏡挿入部のダメージ若しくは寿命確認用に設定された規定値を超えたか否かを比較する比較手段と、  前記規定値を超えた場合に、メッセージを表示する表示手段と、
を備えることを特徴とする請求項１記載の内視鏡装置。
【請求項３】
前記計数手段は、閾値以上の圧力が設定された時間に達した場合に前記印加数として計数することを特徴とする請求項１又は請求項２記載の内視鏡装置。
【請求項４】
前記記憶手段に記憶された計数値を読み出す読出手段を備えることを特徴とする請求項１から請求項３のいずれか１つの請求項記載の内視鏡装置。
【請求項５】
内視鏡挿入部による検査開始時には前記記憶手段に記憶された前記計数値を計数手段にプリセットし、検査終了時には前記計数手段による計数値を前記記憶手段に、以前の計数値を更新するように記憶させる制御を行う制御手段を備えることを特徴とする請求項１から請求項４のいずれか１つの請求項記載の内視鏡装置。
【発明の詳細な説明】
【技術分野】
【０００１】
本発明は、検査対象物の内部を検査する内視鏡装置に関する。
【背景技術】
【０００２】
内視鏡を用いた非破壊検査は、検査対象とする部位にアクセスするために、内視鏡の細長の挿入部を検査対象物の内部に挿入することによって行われる。  
この場合、挿入経路が複雑である場合等、挿入経路によっては、挿入部は検査対象物との摩擦や、検査対象物による圧迫などにより、磨耗などのダメージを受ける。  
こうした磨耗などのダメージが、検査する度に蓄積し、挿入部の交換が必要な寿命となる。  
このようなダメージを軽減する対策として、例えば特開平１０−１０４５３０号公報の従来例は、挿入部の耐性を向上させるという方法を採用していた。
【特許文献１】特開平１０−１０４５３０号公報
【発明の開示】
【発明が解決しようとする課題】
【０００３】
しかしながら、内視鏡装置を繰り返し使用する上で挿入部へのダメージが蓄積されることは根本的に避けられず、単純に挿入部の耐性を向上させる上記の従来例では、すでに寿命に達した挿入部で検査を行ってしまい、検査の品質を十分に確保することが困難になる可能性がある。  
また、１回の検査で受けるダメージは、挿入部が受ける圧力の大きさ等に依存すると考えられるので、内視鏡装置の使用回数や使用時間から寿命を判断若しくは評価する方法では、挿入部が実際に受けるダメージに対応した寿命の判断を適切に行うことが困難になる。
【０００４】
特に、工業用内視鏡の場合には、検査対象が多岐にわたるため、内視鏡装置の使用回数や使用時間から寿命を判断若しくは評価する方法は、適切でない。
【０００５】
（発明の目的）
本発明は上述した点に鑑みてなされたもので、挿入部が受けるダメージの程度又は寿命をより適切に評価できる内視鏡装置を提供することを目的とする。
【課題を解決するための手段】
【０００６】
本発明の内視鏡装置は、
照明窓及び観察窓が設けられた細長の内視鏡挿入部と、
前記内視鏡挿入部に配置され、外部からの圧力を検知する圧力検知手段と、
検知した圧力の値が所定の閾値以上かを判定する圧力値判定手段と、
前記圧力値判定手段による結果を受け、閾値以上の圧力の印加数を計数する計数手段と、
前記閾値及び前記計数手段により計数された計数値を記憶する記憶手段と、
を具備することを特徴とする。  
上記構成により、挿入部が外部から受ける圧力の大きさに対応したダメージの程度又は寿命をより適切に評価することができるようにしている。
【発明の効果】
【０００７】
本発明によれば、挿入部が受けるダメージの程度又は寿命をより適切に評価することができる。
【発明を実施するための最良の形態】
【０００８】
以下、図面を参照して本発明の実施例を説明する。  
【実施例１】
【０００９】
図１から図４は、本発明の実施例１に係り、図１は本発明の実施例１の内視鏡装置の全体構成を示し、図２は寿命確認用のメッセージの表示例を示し、図３は圧力検知手段により検出される圧力により、寿命若しくはダメージの程度の評価を行う動作内容を示し、図４はサービスセンター側での挿入部の状態の診断を行う内容を示す。  
図１に示すように本発明の実施例１の内視鏡装置１は細長の内視鏡挿入部（以下、単に挿入部と略記）２と、内視鏡装置本体部（以下、単に本体部と略記）３と、例えば液晶表示ディスプレイ（ＬＣＤと略記）により構成される外部表示装置４と、各種の指示操作を行うリモートコントローラ（以下、単にリモコンと略記）５とにより構成される。  
挿入部２は、その先端に設けられた硬質の先端部６と、この先端部６の後端に設けられた湾曲自在の湾曲部７と、この湾曲部７の後端から挿入部２の基端に至る可撓性を有する可撓部８とからなる。
【００１０】
また、先端部６の先端面には、照明窓と観察窓とが隣接して設けてある。照明窓には白色で発光する発光ダイオード（ＬＥＤと略記）１１が取り付けられている。観察窓には対物光学系１２が取り付けられており、その結像位置には撮像素子として例えば電荷結合素子（ＣＣＤと略記）１３が配置されている。  
ＬＥＤ１１は、挿入部２内に挿通された駆動線を介して、本体部３内に設けたＬＥＤ制御部１４と接続される。ＬＥＤ１１は、ＬＥＤ制御部１４から供給されるＬＥＤ駆動信号により発光し、発光した光を照明窓から外部に出射し、この挿入部２が挿入されたパイプなどの検査対象物の内部を照明する。  
照明された部分は、対物光学系１２により、ＣＣＤ１３の撮像面にその光学像が結像され、このＣＣＤ１３により光電変換される。  
このＣＣＤ１３は、挿入部２内に挿通された信号線により、本体部３内部に配置された画像処理部１５と接続される。
【００１１】
また、湾曲部７は、図示しない複数の湾曲駒が長手方向に回動自在に連結して構成され、さらに挿入部２内の上下、左右の位置に沿って挿通された図示しない湾曲用ワイヤを駆動用モータを介して牽引／弛緩することにより、湾曲部７を湾曲することが可能となる。湾曲部７の湾曲指示操作は、リモコン５から行うことができる。  
上記ＣＣＤ１３は、画像処理部１５内部の図示しないＣＣＤ駆動回路からＣＣＤ駆動信号が印加されることにより、光電変換した信号電荷を画像信号として画像処理部１５内部の図示しない画像処理回路に出力する。  
この画像処理回路は、ガンマ補正処理、エッジ強調処理、デジタルズーム処理等の画像処理を施し、画像記録・再生部１６に出力する。
【００１２】
画像記録・再生部１６は、画像処理部１５からの画像信号（映像信号）に対し、（ａ）画像の圧縮し、記録・保存したり、（ｂ）保存されている画像を伸長し、外部表示装置４へ出力したり、グラフィック表示などを実現するための高度な画像処理等を行う。
【００１３】
外部表示装置４には、ＣＣＤ１３により撮像された画像等が表示される。  
検査者が、挿入部２をパイプなどの検査対象物の内部に挿入し、外部表示装置４上に表示される画像を確認しながら、所望の検査部位にアクセスするまでの過程においては、挿入部２に、検査対象物との摩擦や衝突等により寿命の低下に影響するようなダメージを与える可能性がある。  
これに対応して、本実施例においては、挿入部２には、外部から挿入部２に印加される圧力値を検出する圧力検知手段として、例えば複数の光ファイバセンサ１７ａ〜１７ｐが設けてある。
【００１４】
光ファイバセンサ１７ａ〜１７ｐは、例えば湾曲部７の先端付近から長手方向に所定の間隔で複数配置されると共に、挿入部２の周方向の複数箇所に配置される。図２は、後述する寿命確認を要請する際のメッセージ表示例を示し、この図２においてもメッセージと共に、寿命に達した可能性がある部位を示すために光ファイバセンサ１７ａ〜１７ｐの位置を示している。  
図１及び図２の図示例は、挿入部２における上下、左右の４つの湾曲方向において、各湾曲方向における長手方向に４つづつ光ファイバセンサ１７ａ〜１７ｄ、１７ｅ〜１７ｈ、１７ｉ〜１７ｌ、１７ｍ〜１７ｐが配置された場合で示している（図１では、上下方向に配置された光ファイバセンサ１７ａ〜１７ｄ、１７ｅ〜１７ｈのみを示している）。また、図１及び図２では簡単化のため長手方向の両端のもの（代表的なもの）のみに符号を付している。なお、本発明は、図１等に示した光ファイバセンサ１７ａ〜１７ｐの数や位置に限定されるものでない。
【００１５】
上記光ファイバセンサ１７ａ〜１７ｐは、可撓性を有する挿入部外皮の内側に配置され、圧力値を光学的に検出するセンサ部と、挿入部２の長手方向に沿って挿通され、センサ部で検出した光を導光するファイバ部とからなる。ファイバ部は、先端がセンサ部に、後端が本体部３内に設けた圧力値判定部（若しくは圧力解析部）１８にそれぞれ接続される。  
各センサ部は、挿入部外皮が外部から押圧されて圧迫されると、その圧迫する圧力値に応じて圧力値判定部１８に入力される検出光（圧力検出光と呼ぶ）が変化し、その圧力検出光がファイバ部を経て圧力値判定部１８に入力される。そして、圧力値判定部１８は、各センサ部により光学的に検出された圧力検出光から電気信号に変換して、後述する閾値と比較して閾値以上の圧力値を判定する。  
本実施例では圧力検知手段として、非常に細い光ファイバセンサ１７ａ〜１７ｐを採用することにより、挿入部２の外径が殆ど太くなることなく、細径の挿入部２を実現している。なお、圧力検知手段として、光ファイバセンサ１７ａ〜１７ｐに限らず、例えば半導体で形成された圧力センサ等を採用しても良い。
【００１６】
上記圧力値判定部１８は、検出される圧力値が挿入部２を摩耗若しくはある程度以上のダメージを与える程度の値であるか否かを、あらかじめ記憶部１９に記憶されている閾値と比較することによりそれを検知（判定）し、その結果を計数部２０へ出力する。  
このため、記憶部１９は、挿入部２の寿命に影響を及ぼす摩耗若しくはダメージを与えるような圧力値が検出されたか否かの比較判定を行うための閾値を記憶する閾値記憶部１９ａの機能を有する。  
この記憶部１９は、不揮発性で電気的に書き換え可能なＥＥＰＲＯＭ或いはフラッシュメモリ等により構成されている。  
圧力値判定部１８により閾値以上の圧力値が検出された場合、計数部２０は、さらにその状態が設定された一定時間に達した場合に、それ以前に検出されたカウント値（計数値）を１つインクリメントする。つまり、計数部２０は、閾値以上の圧力値が、一定時間継続する度に、若しくは一定時間継続しないでも断続的に閾値以上の圧力値が一定時間に達する度にカウント値を１つ増大する。
【００１７】
挿入部２における各部位に配置された圧力検知手段による圧力値が閾値以上の場合の印加数を計数するに限らず、さらに一定時間以上検出された場合の状態を計数することにより、挿入部２が受けるダメージの程度及び寿命をより精度良く評価できるようにしている。  
計数部２０により計数されたカウント値は、メイン制御部２１に出力され、メイン制御部２１は、記憶部１９にそのカウント値を格納する。つまり、記憶部１９は、カウント値を記憶するカウント値記憶部１９ｂの機能を有する。このカウント値は、挿入部２が受けたダメージの程度を反映した情報となる。  
なお、計数部２０は、代表的な各部位に配置された光ファイバセンサ毎にカウントすると共に、記憶部１９も各部位に配置された光ファイバセンサにより検出された圧力値が閾値以上でかつ一定時間検出された場合のカウント値を記憶する。  
また、計数部２０により計数された各部位におけるカウント値は、比較部２２にも出力される。  
この比較部２２には、予め記憶部１９に保持されている各部位のカウント値の最大許容値が入力され、この比較部２２はこの最大許容値とカウント値を比較し、比較結果をメイン制御部２１に出力する。つまり、記憶部１９は、最大許容値を記憶する最大許容値記憶部１９ｃの機能を有する。
【００１８】
この最大許容値は、継続して使用できる状態で在るか否か、換言すると挿入部２が寿命に達したか否かの確認若しくは診断を行った方が望ましいという段階の程度までダメージを受けた可能性がある状態を判断するために予め設定された規定値である。
【００１９】
この段階で挿入部２の状態を診断することにより、検査者が寿命を過ぎて挿入部２を内視鏡検査に使用してしまうことを未然に防止できるようにする。  
メイン制御部２１は、比較部２２からの比較結果として、カウント値が最大許容値を上回ったことを示している場合、外部表示装置４に挿入部２の寿命若しくはダメージを確認する必要がある旨のメッセージ表示するよう、画像記録・再生部１６を介して外部表示装置４を制御する。外部表示装置４に表示されるメッセージの例を、図２に示す。  
図２の表示例では、挿入部２の先端付近の光ファイバセンサ１７ｅが配置された部位において閾値以上の圧力値が最大許容値（図２では規定値）以上検出された場合のメッセージの例を示している。
【００２０】
なお、メイン制御部２１はリモコン５が操作された場合、その指示操作に対応して画像記録・再生部１６の動作を制御したり、ＬＥＤ制御部１４の動作を制御する。また、このメイン制御部２１はリモコン５により湾曲の指示操作が行われた場合、図示しない湾曲駆動部を介して湾曲部７の湾曲を制御する。  
このような構成の実施例１の内視鏡装置１による動作を、図３を参照して説明する。
【００２１】
検査者（ユーザ）は、内視鏡装置１の図示しない電源スイッチをＯＦＦからＯＮにすると、図１の内視鏡装置１は動作状態になる。  
そして、ＣＣＤ１３により撮像された画像が外部表示装置４の表示面に表示されるようになる。検査者は、外部表示装置４の表示面に表示される画像を観察しながら、挿入部２を検査対象物の内部に挿入する。
【００２２】
また、図３のステップＳ１に示すように本体部３は、メイン制御部２１の制御下で初期設定の処理を行う。この初期設定の処理においては、メイン制御部２１は、記憶部１９に記憶されている閾値を圧力値判定部１８に送りセットし、また前回までのカウント値を計数部２０に送り、そのカウント値を初期値としてプリセットする。また、メイン制御部２１は、最大許容値を比較部２２に送り、セットする。  
そして、この初期設定の処理の後、ステップＳ２に示すように、挿入部２に設けられた圧力検知手段としての光ファイバセンサ１７ａ〜１７ｐは、圧力を検出する状態になる。また、圧力値判定部１８は、光ファイバセンサ１７ａ〜１７ｐ（図３中では単にセンサと略記）による夫々の圧力検出光を光電変換して各圧力検出値の取り込みを開始する。  
そして、圧力値判定部１８は、各光ファイバセンサの圧力検出値を閾値と比較して、この閾値以上の圧力検出値を検出すると、計数部２０に出力する。
【００２３】
ステップＳ３に示すように計数部２０は、圧力値判定部１８から閾値以上の圧力検出値が入力されると、この状態が一定時間以上か否かの判定を行う。  
例えば、計数部２０は、圧力値判定部１８から閾値以上の圧力検出値が入力されると、この計数部２０は、閾値以上の圧力検出値が入力される時間を（図示しない一定周期のクロックパルスのカウント数から、そのカウント数が一定時間に対応するカウント値以上になったか否かの）判定する。  
このステップＳ３の判定処理において、一定時間以上と判定されない場合には、ステップＳ２に戻り、ステップＳ２及びＳ３の処理を繰り返す。一方、ステップＳ３の判定処理において、一定時間以上と判定された場合には、ステップＳ４に進む。
【００２４】
ステップＳ４において計数部２０は、カウント値を１つインクリメントして、そのカウント値を比較部２２に出力すると共に、計数部２０は、一定時間以上の判定を行うカウント動作をリセットして次のカウント動作に備える。  
次のステップＳ５において比較部２２は、計数部２０からの各カウント値が、最大許容値以上か否かの判定を行う。各カウント値が、各部位に設定された最大許容値以上でないと判定した場合にはステップＳ６に示すように検査終了か否かの確認処理を行う。  
ステップＳ６において、検査者により検査の終了指示が行われないと、ステップＳ２に戻る。ステップＳ６において、検査者により検査の終了指示が行われた場合には、ステップＳ７においてメイン制御部２１はカウント値を記憶部１９に以前のカウント値を更新するように保存（記憶）して、この検査を終了することになる。  
そして、次回には、記憶部１９に記憶されたカウント値から同様の処理が行われることになる。なお、検査終了の指示操作は、例えばリモコン５から行うことができる。
【００２５】
一方、ステップＳ５においていずれかの部位に対するカウント値が、最大許容値以上であると判定した場合には、比較部２２はその結果をメイン制御部２１に送り、ステップＳ８においてメイン制御部２１は、挿入部２の寿命確認を行う要請用メッセージを表示させる処理を行う。  
例えば外部表示装置４には、図２に示すようなメッセージが表示される。この表示により、検査者は、挿入部２を検査対象物から引き出す等の検査を速やかに終了する作業を行い、検査終了の指示操作を行うことにより、ステップＳ７によるカウント値の記憶処理を経て検査を終了する。  
そして、検査者は、メッセージ表示に従って、内視鏡装置１における挿入部２及び本体部３を、この内視鏡装置１の開発元のサービスセンター等に発送する。  
そして、サービスセンター側における内視鏡装置１の専門家は、図４のステップＳ１１に示すように挿入部２の状態の確認／保守の作業を行う。
【００２６】
つまり、専門家は、挿入部２が継続使用可能か否か、換言すると大きなダメージ或いは寿命に達しているかの確認（診断）及び保守の作業を行う。そして専門家は、継続使用が可能か否かを診断して、不可能な場合には、挿入部２の修理や交換を行う。継続使用可能な場合には修理を行わない。そして、次のステップＳ１２において検査者は、カウント値の最大許容値の再設定および、カウント値のリセット（若しくは再設定）を行なう。  
このように本実施例によれば、挿入部２に閾値以上の圧力が加わった回数等から挿入部２の寿命に関する診断をタイムリーに行うことができる。従って、検査者が気づかずに寿命を過ぎた挿入部２により、検査を行ってしまう場合における品質の低下を未然に防止できる。つまり、本実施例によれば、検査の品質を向上することができる。  
また、このように挿入部２の寿命に関する診断をタイムリーに行うことにより、挿入部２が簡単な修理、保守を施すことで済む場合が多く、結果的に挿入部２を長期にわたり使用できる状態を維持することが可能になったり、長寿命化することが可能になる。
【実施例２】
【００２７】
次に図５を参照して、本発明の実施例２を説明する。図５は本発明の実施例２の内視鏡装置１Ｂの構成を示す。  
図５に示す内視鏡装置１Ｂは、図１に示す実施例１の内視鏡装置１において、本体部３内に設けられ、メイン制御部２１と接続された読出部３１と、この読出部３１に着脱自在に接続され、本体部３の外部のパーソナルコンピュータ（ＰＣと略記）３２とを備えた構成である。  
上記ＰＣ３２は読出部３１と接続することにより、メイン制御部２１を介して記憶部１９に記憶（格納）されているカウント値等の情報を読み出すことができるようにしている。  
その他は、実施例１と同様の構成であるが、以下の構成にしても良い。
【００２８】
実施例１においては、圧力値判定部１８は、検出される圧力検出値を１つの閾値以上であるか否かの圧力値判定を行っていたが、本実施例ではさらに値の異なる第２閾値を判定用（データ収集用）に設定している。  
また、これに対応して、計数部２０は、閾値以上の圧力検出値をカウントする第１計数回路の他に、さらに第２閾値以上の圧力検出値の場合をカウントする第２計数回路を備えている。この第２計数回路の第２カウント値は、内視鏡検査の終了時にメイン制御部２１を介して記憶部１９に、以前の第２カウント値を更新するようにして累積的に記憶（保存）される。なお、記憶部１９は閾値と共に、第２閾値も記憶する。  
比較部２２は実施例１の場合と同様に第１計数回路のカウント値が最大許容値以上であるか否かの比較動作を行う。  
この様な構成による本実施例の動作を以下に説明する。
【００２９】
本実施例における動作は図３に示したフローチャートと類似しているので、図３を参照して説明する。  
電源スイッチがＯＮにされると図３のステップＳ１のように初期設定を行う。この初期設定は、実施例１の初期設定の他に記憶部１９から第２閾値を読み出して圧力値判定部１８に設定すると共に、計数部２０の第２計数回路に記憶部１９から（前回の検査の終了時に記憶された）第２カウント値を初期値としてセットする。  
そして、図３のステップＳ２以降の処理を開始する。この場合、検出された圧力検出値が閾値以上であるか否かの動作に関しては、図３のステップＳ２からＳ８までと同じ動作になる。  
これに対して、検出された圧力検出値が第２閾値以上であるか否かの動作に関しては、図３のステップＳ２からＳ８において、ステップＳ５とＳ８の処理を行わない動作になる（この場合、閾値を第２閾値に、カウント値を第２カウント値に読み替える）。
【００３０】
つまり、Ｓ４の処理の後、ステップＳ６の処理に進み、検査終了するか否かに応じてステップＳ２或いはステップＳ７を経て終了する。  
本実施例は、検査者に対しては、実施例１と殆ど同様の処理動作を行うことになるが、実施例１の場合よりも、より詳細なデータ収集ができる。従って、本実施例は実施例１と同様の効果を有する他に、以下の効果を有する。  
本実施例によれば、ＰＣ３２により、記憶部１９に記憶されているカウント値を読み出し、寿命を迎えるまでに、どれだけのストレス（圧力）が挿入部２に加わったのかをより詳細に確認することができる。  
この読み出し結果から、実際の検査でのダメージの程度と寿命との関係に関するデータをサービスセンターに蓄積し、カウント値の最大許容値と挿入部２の寿命の関係をより詳細かつ精度良く判定することができる。
【００３１】
その結果を反映してカウンタ値の最大許容値の補正を行えば、以後のカウンタ値によりダメージの程度を判定する精度が向上し、結果として挿入部２の寿命予測の精度が向上する。  
そのほか、本実施例は、蓄積したデータから、判定して記憶部１９に保存した情報を内視鏡装置１Ｂの改良などに利用することもできる。  
また、読出部３１の出力先をネットワークにすれば、遠隔地から一括して内視鏡装置１Ｂや挿入部２の寿命管理を行うこともできる。  
このほか、内視鏡装置１Ｂの起動時毎や一定期間ごとに挿入部２のカウント値を外部表示装置４に表示したり、リモコン５の操作で要請がある場合に、今後の寿命予測を外部表示装置４に表示するといった応用が可能である。  
ところで、上述した実施例１、２において外部表示装置４として、ＬＣＤを使用している。このＬＣＤには、外気温を検出する図示しない温度検知手段を備えており、検出された温度はメイン制御部２１へ出力される。
【００３２】
メイン制御部２１は、検出された温度を、例えば記憶部１９に格納された温度閾値と比較し、この温度閾値よりも低いと判定した場合には、その旨をＬＣＤによる外部表示装置４にて表示させる。  
これにより、低温時にＬＣＤの応答性が悪化することにより残像が見えていていたり、低温時に電源を投入してもＬＣＤが点灯しない場合にも、検査者は、ＬＣＤの故障ではなく、気温が低いことによることを認識することができる。  
また、ＬＣＤとして、温度検出手段により検出される気温が低い場合には、電源投入時にすぐにＬＣＤを点灯させる回路を動作させず、内部回路によりＬＣＤが十分温まるだけの時間の経過後、点灯動作を行うことにより、確実な点灯を行えるＬＣＤを用いることもできる。
【００３３】
さらに、ＬＣＤによる外部表示装置４に、本体部３のうち特に熱を発生するメイン制御部２１等の熱を、熱伝導物体によって伝導して印加し、それによりＬＣＤが温まるまでの時間を短縮することもできる。  
また、低温の場合に、電源投入後一定時間経過後もＬＣＤが点灯しない場合、ＬＣＤがその旨をメイン制御部２１へ出力し、メイン制御部２１がインジケータ用のＬＥＤ３３などの表示手段により、低温のためＬＣＤが点灯しない旨を表示させるといった内視鏡装置を、実現することもできる。  
また、ＬＣＤとして電源投入時に一時的に輝度を上げることにより、野外での視認性を向上させるための操作手段をもつＬＣＤを用いることもできる。  
また、ＬＣＤとして半透過型または反射型のＬＣＤパネルを用い、メイン制御部２１によって装置に対する一定時間以上の操作の有無に応じてＬＣＤパネルのバックライトをＯＮ／ＯＦＦ制御することにより低消費電力化を図った内視鏡装置を構成することもできる。
【００３４】
また、ＬＣＤとして半透過型または反射型のＬＣＤパネルを用い、メイン制御部２１により、装置に対する一定時間以上の操作のない場合に、ＬＣＤの電源ＯＦＦする制御を行うとともに、ＬＣＤのＯＦＦをインジケータ用ＬＥＤ３３（図１，図５参照）によって表示する機能を持つ内視鏡装置を構成することもできる。  
また、図１、図５では示していないが、挿入部２の先端側に設けた湾曲部７をモータによる駆動手段の他に手動で、湾曲制御可能な構成とすることもできる。
【００３５】
なお、上述した第２閾値も寿命の判定に用いるようにしても良い。  
また、計数部２０は、所定の閾値や第２閾値以上の圧力値が検出された時間を計数するようにしても良い。そして、この時間が最大許容値の時間に達した場合に、上述したメッセージを表示する等してユーザに対して、挿入部２の診断を受けるように告知するようにしても良い。なお、第２閾値は、閾値より大きい値、若しくは小さい値でも良いし、両方の場合をカバーする２つの値以上でも良い。
【００３６】
なお、挿入部２に設ける圧力検知手段として、上述した実施例では湾曲部７及び可撓部８の先端側の一部に設けたが、これに限定されるものでなく、例えば可撓部８のより後方側の部分にも設けるようにしても良い。  
また、先端部７は硬質部分であるので、湾曲部７等よりは損傷を受けにくいが、この部部分にも圧力センサ等を設けるようにして、ダメージの程度若しくは寿命を評価できるようにしても良い。  
また、上述した実施例においては挿入部２の基端が本体部３に接続された工業用内視鏡装置の場合で説明したが、挿入部を有する内視鏡が本体部に類似したカメラコントロールユニット（ＣＣＵと略記）に着脱自在に接続される医療用の内視鏡を採用した内視鏡装置の場合に適用することもできる。
【００３７】
［付記］
１．請求項１において、前記圧力検知手段は、前記内視鏡挿入部における長手方向及び周方向の複数箇所にそれぞれ設けられる。  
２．請求項１において、前記圧力値判定手段は、前記圧力検知手段で検知された圧力値が互いに異なる複数の圧力値以上か否かの判定を行う。
【産業上の利用可能性】
【００３８】
挿入部に、外部から設定された閾値以上の大きさの圧力値が加わった回数を判定することにより、挿入部が受けるダメージの程度をより適切に評価し、これにより寿命をより適切に評価する。そして、寿命を過ぎて検査を行うことによる品質の低下を防止する。
【図面の簡単な説明】
【００３９】
【図１】本発明の実施例１の内視鏡装置の全体構成を示すブロック図。
【図２】カウント値が最大許容値（規定値）を超えた場合のメッセージ表示例を示す図。
【図３】光ファイバセンサによる圧力検出によりダメージを受けたか状態か否かの判定を行う動作のフローチャート。
【図４】サービスセンター側での挿入部の状態の診断を行う動作のフローチャート。
【図５】本発明の実施例２の内視鏡装置の全体構成を示すブロック図。
【符号の説明】
【００４０】
１…内視鏡装置
２…挿入部
３…本体部
４…外部表示装置
５…リモートコントローラ（リモコン）
７…湾曲部
１３…ＣＣＤ
１５…画像処理部
１６…画像・記録メイン制御部
１８…圧力値判定部
１９…記憶部
２０…計数部
２１…メイン制御部
２２…比較部
【図１】
2007322918.tif 000003
【図２】
2007322918.tif 000004
【図３】
2007322918.tif 000005
【図４】
2007322918.tif 000006
【図５】
2007322918.tif 000007